(57)【要約】【課題】本考案は、丸枠の枠接合部の引っ掛かりをなくし、従来ビニールテープ止めで使っているうちに解（ほつ）れてくるのを防止する帆立貝、かき、真珠、アワビのような貝類の円柱型養殖篭の枠体を提供することを目的とする。【解決手段】前記丸形枠体２は、耐水被覆層５が形成された鉄線材６から形成され、前記丸形枠体２の接合部分７は、耐水被覆層５が形成された丸形枠体２の耐水被覆層５を剥除し、鉄線材６部分を露出させ、鉄線材６の先端同士を突き合わせ又は重ね合わせて鉄線材６部分を連結管８で固定し、該連結管８の外周囲を包着管材９で覆ったものである。【選択図】図２
0003131911.tif 000002
【実用新案登録請求の範囲】
【請求項１】
耐水被覆層が被覆された鉄線材から形成された丸形枠体の接合部分は、前記耐水被覆層が形成された丸形枠体の耐水被覆層を剥除し、鉄線材部分を露出させ、前記鉄線材の先端同士を突き合わせ又は重ね合わせて鉄線材部分を連結管で固定し、該連結管の外周囲を包着管材で覆ったことを特徴とする貝類の円柱型養殖篭の枠体。
【請求項２】
前記耐水被覆層は、ポリ塩化ビニール樹脂、酢酸ビニールエチレン共重合樹脂、或いはポリエチレンやポリプロピレン樹脂等が挙げられることを特徴とする請求項１記載の貝類の円柱型養殖篭の枠体。
【請求項３】
前記連結管は、強剛な金属又は繊維強化プラスチック素材からなる円筒管であることを特徴とする請求項１記載の貝類の円柱型養殖篭の枠体。
【請求項４】
前記包着管材は、前記耐水被覆層と同様な素材のポリ塩化ビニール樹脂、酢酸ビニールエチレン共重合樹脂、或いはポリエチレンやポリプロピレン樹脂等で形成されてなる円筒管であることを特徴とする請求項１記載の貝類の円柱型養殖篭の枠体。
【考案の詳細な説明】
【技術分野】
【０００１】
本考案は、帆立貝、かき、真珠、アワビのような貝類の円柱型養殖篭の枠体に関する。
【背景技術】
【０００２】
従来、帆立貝、かき、真珠、アワビのような貝類に用いる円柱型養殖篭として、複数段に配置された支持枠と、この各段の支持枠の外側に取付けられた網地からなる外囲いと、前記各段の支持枠に取付けられ、前記外囲い内に複数段の収納室を形成する網地からなる棚と、前記外囲いの胴部に各収納室に対応して突き合わせ状の縦割れ目により形成され、養殖対象の投入・排出部と、前記支持枠の外周複数箇所に連結された複数本の吊りロープとを備えた連段養殖篭が一般的に知られている（特許文献１を参照）。
従来の丸形枠体の接合部分は、図３の点線枠内部分に示すように、単に枠を合わせ、ビニールテープ止めしたものをポリエチレンの糸で縛るため、使用を繰り返すと糸が切れたりテープが剥がれ離れてしまう不都合があった。
なお、本出願人は、貝類の養殖篭の枠の接合部分において、正方形枠体を形成する側部材並びに補強部材が耐水被覆層が形成された鉄線材からなり、且側部材の耐水被覆層が形成された鉄線材の端部相互の耐水被覆層を適宜長さで剥除し、鉄線材を挿通しえる挿通口を有する強剛な金属又は繊維強化プラスチック素材からなる連結管に挿通させたうえ、鉄線材及び連結管を圧接若しくは加圧嵌着により接合連結し、而も該接合連結部外周部には接合連結部及び耐水被覆層が形成された鉄線材を挿通包着しえる包着管材が適宜接着剤により耐水密閉状に包着された正方形枠体の特許権を取得している（特許文献２を参照）。
【特許文献１】特開２００１−１２０１０５号公報
【特許文献２】特許第３５２０２３８号公報
【考案の開示】
【考案が解決しようとする課題】
【０００３】
本考案は、丸枠の枠接合部の引っ掛かりをなくし、従来ビニールテープ止めで使っているうちに解（ほつ）れてくるのを防止する帆立貝、かき、真珠、アワビのような貝類の円柱型養殖篭の枠体を提供することを目的とする。
【課題を解決するための手段】
【０００４】
本考案の貝類の円柱型養殖篭の枠体は、耐水被覆層が被覆された鉄線材から形成された丸形枠体の接合部分が、前記耐水被覆層が形成された丸形枠体の耐水被覆層を剥除し、鉄線材部分を露出させ、前記鉄線材の先端同士を突き合わせ又は重ね合わせて鉄線材部分を連結管で固定し、該連結管の外周囲を包着管材で覆ったものである。
前記耐水被覆層は、ポリ塩化ビニール樹脂、酢酸ビニールエチレン共重合樹脂、或いはポリエチレンやポリプロピレン樹脂等が挙げられる。
前記連結管は、強剛な金属又は繊維強化プラスチック素材からなる円筒管である。
前記包着管材は、前記耐水被覆層と同様な素材のポリ塩化ビニール樹脂、酢酸ビニールエチレン共重合樹脂、或いはポリエチレンやポリプロピレン樹脂等で形成されてなる円筒管である。
【考案の効果】
【０００５】
本考案の貝類の円柱型養殖篭の枠体は、丸形枠体に耐水被覆層が被覆された鉄線材を用いてなるから、網地と接触する丸形枠体の外表面が常時平滑に保持されるために養殖篭に多方向からの潮流抵抗が付加された場合にも、網地が自在に滑動し且伸張若しくは収縮するため抵抗が緩和され養殖篭の揺動が抑制できる効果がある。
また、接合連結部分の外周面が包着管材により耐水密閉状に包着されて平滑となるため、垂下展張時の網地の絡みも無く、且育成管理に係る度重なる漁労作業時にも網地の絡みもなく能率良く作業がなしえる等の優れた特徴を有する。
【考案を実施するための最良の形態】
【０００６】
本考案の貝類の円柱型養殖篭の枠体の一実施例を添付図面に基づいて、以下に説明する。
図１の概略図に示すように、帆立貝、かき、真珠、アワビのような貝類に用いる円柱型養殖篭１は、複数段に配置された丸形枠体２と、この各段の丸形枠体２の外側に取付けられた網地からなる外囲い３と、前記各段の丸形枠体２に取付けられ、前記外囲い３内に複数段の収納室を形成する網地からなる棚４と、前記外囲い３の胴部に各収納室に対応して突き合わせ状の縦割れ目により形成され、養殖対象の投入・排出部(図示省略)と、前記丸形枠体２の外周複数箇所に連結された複数本の吊りロープ(図示省略)とを備えている。
【０００７】
図２の拡大断面図に示すように、前記丸形枠体２は、耐水被覆層５が形成された鉄線材６から形成され、前記丸形枠体２の接合部分７は、耐水被覆層５が形成された丸形枠体２の耐水被覆層５を剥除し、鉄線材６部分を露出させ、鉄線材６の先端同士を突き合わせ又は重ね合わせて鉄線材６部分を連結管８で固定し、該連結管８の外周囲を包着管材９で覆ったものである。
尚、図２においては、鉄線材６，６の先端同士を付き合わせた実施例を示している。
【０００８】
前記耐水被覆層５は、一般的な素材としては、ポリ塩化ビニール樹脂、酢酸ビニールエチレン共重合樹脂、或いはポリエチレンやポリプロピレン樹脂等が挙げられる。前記耐水被覆層５は、鉄線材６を海中で長期間使用に伴う腐食や錆の発生を防止すること及び海中での垂下展張時における潮流抵抗や波浪抵抗の繰返し負荷に対しても、その平滑性により包被されている網地が自在に滑動し伸張や収縮により緩和させるものである。
【０００９】
前記連結管８は、強剛な金属又は繊維強化プラスチック（ＦＲＰ）素材からなる円筒管である。前記連結管８は、養殖篭として海中に垂下展張されている期間中繰返し付加される潮流抵抗や波浪抵抗等の負荷力に十分対向して丸形枠体を保形しえるよう接合連結させることが肝要で、特に多方向からの負荷力に対向するためには強剛な素材からなる管状の保持体内に鉄線材６を密着して挿通保持させることが望まれる。
更に、接合方向への負荷力に対向するためには、連結管８及び挿通された鉄線材６との強固な接合連結が不可欠であって、このためには圧接手段若しくは加圧嵌着手段を用いる必要上、金属又は繊維強化プラスチック（ＦＲＰ）素材が選択される。
【００１０】
前記包着管材９は、前記耐水被覆層５と同様な素材のポリ塩化ビニール樹脂、酢酸ビニールエチレン共重合樹脂、或いはポリエチレンやポリプロピレン樹脂等で形成されてなる円筒管である。そして、包着管材９による耐水密閉性を保持する包着手段としては、適宜の接着剤を用いることが提案される、
【図面の簡単な説明】
【００１１】
【図１】本考案の貝類の円柱型養殖篭の概略図である。
【図２】丸形枠体の接合部分の拡大断面図である。
【図３】従来の丸形枠体の接合部分の拡大断面図である。
【符号の説明】
【００１２】
１  円柱型養殖篭
２  丸形枠体
３  外囲い
４  棚
５  耐水被覆層
６  鉄線材
７  接合部分
８  連結管
９  包着管材
【図１】
0003131911.tif 000003
【図２】
0003131911.tif 000004
【図３】
0003131911.tif 000005